(57)【要約】【課題】  長手方向の接続部分が平坦状に形成される外装構造を迅速かつ安価に仕上げることができる横葺き外装材及びその接続構造を提供する。【解決手段】  本発明は、水上側、水下側に相互に係合する成形部１３，１２を有する横葺き外装材１において、長手方向の両端縁に、ブランク加工により、少なくとも１以上の凸状部分１４Ａ，１５Ａ及び凹状部分１４Ｂ，１５Ｂを有する平面視凹凸状の接続部１４，１５を、一方の凹状部分１４Ｂ，１５Ｂと他方の凸状部分１５Ａ，１４Ａとが短手方向に同位状になるように形成すると共に、凸状部分１４Ａ，１５Ａの先端が面板部１１より上方に位置するように形成する。【選択図】  図１
2006183265.tif 000002
【特許請求の範囲】
【請求項１】
水上側、水下側に相互に係合する成形部を有する横葺き外装材において、
長手方向の両端縁に、ブランク加工により、少なくとも１以上の凸状部分及び凹状部分を有する平面視凹凸状の接続部を、一方の凹状部分と他方の凸状部分とが短手方向に同位状になるように形成すると共に、凸状部分の先端が面板部より上方に位置するように形成した横葺き外装材。
【請求項２】
凸状部分は、少なくとも一段以上の段部が形成されていることを特徴とする請求項１に記載の横葺き外装材。
【請求項３】
請求項１又は２に記載の横葺き外装材の接続部を噛み合わせた状態で、面板部上に位置する接続部に対して化粧部材を取り付けたことを特徴とする横葺き外装材の接続構造。
【発明の詳細な説明】
【技術分野】
【０００１】
本発明は、長手方向の接続部分が平坦状に形成される外装構造を迅速かつ安価に仕上げることができる横葺き外装材及びその接続構造に関する。
【背景技術】
【０００２】
従来、横葺き屋根板の長手方向（主に桁行き方向）は、継ぎ手と称される部材によって接続されているものが多い。
【０００３】
例えば特許文献１には、左右に配される外装材４の側縁に断面コ字状の差込みプレート５を嵌め付け、その差込みプレート５に対して化粧カバー７を取り付ける構成が記載されている。
また、特許文献２には、合成樹脂等によって成形された部材２，３により、左右に配される外装材（瓦１）の側縁を上下から挟着状に保持し、その部材３に外装材（瓦１）と同質材からなる化粧カバー（キャップ１４）を取り付ける構成が記載されている。
さらに、特許文献３には、長さ方向の端部を櫛歯状に切り欠いた後、プレス加工して成形する屋根板が開示されている。より詳しくは、長さ方向の端縁に突出片（交差部材24a，24b）を多数形成し、各突出片（交差部材24a，24b）は端部から裏面側に延びる折曲部25と、その下端から外方に延びる一定幅の平行部26と、その先端から下方へ延びる傾斜部27とからなる。
【特許文献１】実開平７−１６８３２号公報
【特許文献２】特公平７−１１３２５１号公報
【特許文献３】特開平１０−３１７５９７号公報
【発明の開示】
【発明が解決しようとする課題】
【０００４】
しかしながら、前記特許文献１に記載の構成では、それぞれの外装材４の側縁に取り付ける差込みプレート５、及び化粧カバー７が必要であって、部材管理が煩雑であり、製造コストがかかり、屋根としての全体的なコストの高騰にも繋がっていた。
また、前記特許文献２に記載の構成でも、外装材（瓦１）の側縁を上下から保持する部材２，３、及び化粧カバー（キャップ１４）が必要であるため、部材管理が煩雑であり、製造コストがかかり、屋根としての全体的なコストの高騰に繋がっていた。
前記特許文献３に記載の構成では、外装材の側縁に重合部を形成するために、部材数を減らすことができるが、外装材の側縁（重合）をプレスによって成形するため、成形コストは削減されていなかった。また、プレスによる製造工程が必要となるため、成形ラインの高速化が図れなかった。
【０００５】
そこで、本発明は、プレス成形の工程を必要とすることなく迅速且つ安価に成形でき、高速化が図れ、外装材の接続に多くの部材を要することのない接続構造を提供することを目的とする。
【課題を解決するための手段】
【０００６】
本発明は、上記に鑑み提案されたもので、水上側、水下側に相互に係合する成形部を有する横葺き外装材において、長手方向の両端縁に、ブランク加工により、少なくとも１以上の凸状部分及び凹状部分を有する平面視凹凸状の接続部を、一方の凹状部分と他方の凸状部分とが短手方向に同位状になるように形成すると共に、凸状部分の先端が面板部より上方に位置するように形成した横葺き外装材に関するものである。
尚、長手方向の端縁とは、水流れ方向に沿う側縁である。
【０００７】
上記横葺き外装材において、凸状部分は、少なくとも一段以上の段部が形成されていることが望ましい。
【０００８】
また、本発明は、前記横葺き外装材の接続部を噛み合わせた状態で、面板部上に位置する接続部に対して化粧部材を取り付けたことを特徴とする横葺き外装材の接続構造をも提案するものである。
即ちこの横葺き外装材の接続構造は、長手方向に隣接させた横葺き外装材の接続部を、互いの凸状部分が他方の凹状部分の表面側に位置するように噛み合わせた後、面板部上に位置する接続部（凸状部分）に対し、両側縁に係合溝を有する化粧部材を、凸状部分の先端が係合溝内に位置するように取り付ける。
【発明の効果】
【０００９】
本発明の横葺き外装材は、ブランク加工及びロール成形によって生産するので、端部のプレス成型を基本的に必要としないため、ロール成形のスピードを高速化でき、製造コストを低減できる。
【００１０】
上記横葺き外装材において、凸状部分に段部が形成されていると、凸状部分の基端に歪みが生ずることがなく、他方側の凹状部分の表面側への噛み合わせが容易になり、作業性が向上する。さらに、噛み合わせた部分が隣接する横葺き外装材の表面に沿って平行状となるため、化粧部材の係合を容易且つ確実に行うことができる。
【００１１】
本発明の横葺き外装材の接続構造は、長手方向の端縁に形成した接続部を、隣接する横葺き外装材の接続部と櫛歯状（交差状）に噛み合わせると共に、一方側及び他方側の横葺き外装材の凸状部分の先端に、化粧部材の係合溝を係合させるので、化粧部材は双方の横葺き外装材の凸状部分によってずれ動くことがなく、適正な位置に規制される。
より詳しくは、隣接する横葺き外装材の両凸状部分に化粧部材の係合溝を係合させるということは、例えば一方側の横葺き外装材の複数の凸状部分が不完全（不均一）な状態で係合していたとしても、他方側の横葺き外装材の凸状部分に係合溝を係合させることによって、化粧部材は隣接する横葺き外装材により左右から突き合わせられるように所定位置に配され、一方側の横葺き外装材の不完全（不均一）な係合も適正（均一）な係合に修正される。
【００１２】
さらに、外装材は、ブランク加工により、長手方向の両端縁に、１以上の凸状部分を有する平面視凹凸状の接続部を、一方の凹状部分と他方の凸状部分とが短手方向に同位状になるように設けるので、接着剤等を用いなくても互いの端縁の浮き上がりが防止される。即ち一方の端縁を他方の端縁に単に重合させるだけでは端縁が浮き上がってしまうため、接着剤等にて接合する必要があり、接着剤等にて接合するためには被せる側の端縁の裏面の裏貼り材を部分的に切除する必要があった。しかし、上述のようにブランク加工にて接続部を形成することにより、長手方向の接続に際して互いの凸状部分を他方の凹状部分の表面側に位置するように噛み合わせるように接続するので、各端縁がそれぞれ互いの端縁の浮き上がりを防止し、裏貼り材を切除する必要もない。
【００１３】
さらに、本発明の横葺き外装構造は、横葺き外装構造の主構成材である横葺き外装材を前述のようにブランク加工及びロール成形によって生産するので、製造コストを低減でき、しかも従来の外装材の接続のようにカバー、端部保持部材（ジョイナー）、捨板（排水板）等の継手部材の全てを必要とするものではなく、端部保持部材（ジョイナー）等については必要としないので、施工のための部材点数を低減でき、全体的な施工コストを大幅に低く抑えることができる。
【発明を実施するための最良の形態】
【００１４】
本発明の横葺き外装材（以下、単に外装材という）水上側、水下側に相互に係合する成形部を形成し、長手方向の両端縁に、ブランク加工により、少なくとも１以上の凸状部分及び凹状部分を有する平面視凹凸状の接続部を、一方の凸状部分と他方の凹状部分とが短手方向に同位状になるように形成すると共に、凸状部分の先端が面板部より上方に位置するように形成した構成である。
この接続部における凸状部分、凹状部分の数は特に限定するものではない。
【実施例１】
【００１５】
図示実施例では、長手方向とは左右方向（桁行き方向）を指し、水流れ方向とは、短手方向、軒棟方向を指す。
図１に示す実施例では、水上側、水下側に形成される成形部とは、面板部１１の水下側の端縁に設けられる水下側成形部１２、面板部１１の水上側の端縁に設けられる水上側成形部１３を指す。これら成形部１２，１３は、相互に係合するものであれば特にその形状等について限定するものではない。
図示実施例の水下側成形部１２は、面板部１１の軒縁を下方へ略鉛直状に曲げ成形した折り下げ片１２１と、その下端を棟側へ曲げ成形して略水平状に延在させ、さらにその先端を裏面側へ折り返した水平片１２２とからなる構成とした。
また、水上側成形部１３は、面板部１１の端縁を表面側へ折り返し状に曲げ成形して延在した軒向き片１３１と、その軒端を棟側へ折り返し状に曲げ成形して延在させ、その上端を緩く上方へ折り曲げた棟向き片１３２とからなる構成とした。
これらの水下側成形部１２と水上側成形部１３とは、図４（ｅ）に示すように、敷設状態において係合する構成とした。
【００１６】
そして、本発明の特徴は、長手方向の両端縁に、ブランク加工により、少なくとも１以上の凸状部分及び凹状部分を有する平面視凹凸状の接続部１４，１５を、一方の凹状部分１４Ｂと他方の凸状部分１５Ａ（凸状部分１４Ａと凹状部分１５Ｂ）が短手方向に同位状になるように設けると共に、凸状部分１４Ａ，１５Ａの先端が面板部１１より上方に位置するように形成した点にある。
【００１７】
図示実施例では、ブランク加工により、長手（桁行き）方向の一方（図面左側）の接続部１４には、２つの略矩形状の凸状部分１４Ａと３つの凹状部分が形成され、他方（図面右側）の接続部１５には、３つの略矩形状の凸状部分１５Ａと２つの凹状部分１５Ｂが形成される場合であり、凸状部分１４Ａと凹状部分１５Ｂ、凹状部分１４Ｂと凸状部分１５Ａとは、それぞれ短手方向に同位状に設けられている。
また、各凸状部分１４Ａ，１５Ａは段部１６を介して設けられている。したがって、この図１の実施例における各凸状部分１４Ａ，１５Ａは面板部１１に対して段部１６分だけ表面側に位置している。
【００１８】
さらに、一方の接続部１４の最棟側には水上凸部１４Ｃが、最軒側には水下凸部１４Ｄが形成され、それらと短手方向に同位状に他方の接続部１５の最棟側には水上凹部１５Ｃが、最軒側には水下凹部１５Ｄが形成されている。即ち長手（桁行き）方向の両端縁の水下側成形部１２、水上側成形部１３の折り返し部分となる部位、水下側成形部１２の水平片１２２、水上側成形部１３の棟向き片１３２が欠除されることにより、水上凸部１４Ｃ、水下凸部１４Ｄが形成される構成である。
【００１９】
次に、本発明の外装材１を作成する手順を以下に示す。
〔第１工程〕
まず、外装材１の金属材料素材としては、代表的には概ね０.４〜１.６mm程度の溶融亜鉛メッキ鋼板やガルバリウム鋼板等の防錆処理鋼板、特殊鋼、非鉄金属、ステンレス鋼板、耐候性鋼板、銅板、アルミニウム合金板、鉛板、亜鉛板、チタニウム板などが挙げられるが、特にこれらに限定されるものではない。これらは殆ど長尺なコイル状形態で供給される。また、これら各種の長尺なコイル状の金属材料の裏面に、結露防止、防音、防火対策上の理由により、必要に応じてポリエチレンフォーム、グラスウールシート等の裏貼り材を添装してもよい。
上記各種の長尺なコイル状の金属材料を定尺切断する等して、一定幅で所定長さの金属材を作成し、これを成形材料とする。
この成形材料に、長手方向の両端縁にブランク加工を施して前述の接続部１４，１５が形成されるようにする。この実施例では、前述のように長手（桁行き）方向の一方（図面左側）の接続部１４には、２つの略矩形状の凸状部分１４Ａと３つの凹状部分が形成され、他方（図面右側）の接続部１５には、３つの略矩形状の凸状部分１５Ａと２つの凹状部分１５Ｂが形成され、各凸状部分１４Ａ，１５Ａは段部１６を介して設けられている。尚、これらのブランク加工は、各端縁それぞれに行うようにしてもよいし、接続部１４，１５は、前述のように一方の凹状部分と他方の凸状部分とが短手方向に同位状になるように設けるので、一度のジグザグ状の切断にて形成するようにしてもよい。
【００２０】
〔第２工程〕
前記ブランク加工を施された成形材料を、ロール成形機にかけ、面板部１１の軒端縁に前記構成の水下側成形部１２が、棟端縁に前記構成の水上側成形部１３がロール成形により形成される。
【００２１】
このように製造される本発明の外装材１は、ブランク加工及びロール成形によって生産されるので、長手方向の端縁のプレス成型を基本的には必要としないため、ロール成形のスピードを高速化でき、製造コストを低減できる。尚、前記段部１６等はプレス成型にて形成する場合もある。
その結果、安価な外装材１を市場に提供することができる。
【００２２】
続いて、このような外装材１の接続構造について説明する。
短手（軒棟）方向に隣接する外装材１，１を接続する場合は、従来の横葺き外装材と全く同様であり、図４（ｅ）に示すように、軒棟方向に隣接する外装材１，１の水下側成形部１２と水上側成形部１３を係合して接続し、水上側成形部１３の棟向き片１３２を外装下地３に適した公知の釘やビス等の固着具（図示せず）で固定する。
【００２３】
長手（桁行き）方向に隣接する外装材１，１を接続する場合は、図２（ａ）に示すように、捨板２上にて、左側に配した外装材１の右端の接続部１５に、右側に配する外装材１の左端の接続部１４を対向させ、各凸状部分１４Ａ，１５Ａを各凹状部分１５Ｂ，１４Ｂの表面側へ沿わせるように配して接続し、図２（ｂ）に示すように、化粧部材３を係合させて添わせ、図３に示すような略平坦状の外装面を施工する。
尚、長手（桁行き）方向の接続位置は、通りを揃えてもよいが、一般的には、軒棟方向に隣り合う外装材の接続の通りと同じにならないよう１段ごとに位相させることが好ましい。
【００２４】
より詳しくは、図２（ａ）に示すように、既に左側に配された外装材１の右端の接続部１５に、右側に配する外装材１の左端の接続部１４を接続するに際し、まず、右側の外装材１の接続部１４の水下凸部１４Ｄを、左側の外装材１の接続部１５の水下凹部１５Ｄ内に差し込む。さらに詳しくは、左側の外装材１の接続部１５に対し、右側の外装材１を、接続部１４が傾斜状になるように臨ませ、水下凸部１４Ｄを完全に差し込むのではなく、その軒縁のみを差し込むようにする。
次に、前記差し込んだ部分を支点として右側の外装材１を反時計回りに回動させる。その際、右側の外装材１は、凸状部分１４Ａが略平坦状であるため下地に載置した状態で回動させればよいので、作業に多人数を要することなく容易に実施できる。
そして、水下凸部１４Ｄを水下凹部１５Ｄの裏面側に差し込むと共に、各凸状部分１４Ａを、順次凹状部分１５Ｂの表面側に噛み合わせるように接続する。尚、この実施例では、接続部１４ばかりでなく接続部１５にも凸状部分１５Ａを設けているので、各凸状部分１４Ａ，１５Ａを各凹状部分１５Ｂ，１４Ｂの表面側へ沿わせるように噛み合わせて接続する。
さらに、水上凸部１４Ｃについては、水上凹部１５Ｃの裏面側に差し込むように接続して、図２（ｂ）に示すように組み合わせる。
その後、化粧部材３の係合溝３２を凸状部分１４Ａ，１５Ａに係合させつつ、水下側から水上側へスライドさせるように添わせる。
【００２５】
前記接続構造に用いる捨板２は、図４に示すように矩形状の平板部２１の左右側縁を表面側へ折り返した折返し部２２，２２、平板部２１の棟縁を表面側へ折り返した水返し部２３が形成され、さらに軒縁を裏面側へ折り返し状に折曲して前記外装材１の水下側成形部１２の内部に位置する軒側係合部２４が設けられた構成である。
したがって、長手方向の接続部１４，１５から浸入した雨水等は、この捨板２上に導かれ、下段側の外装材１の面板部１１上に流下させることができる。
【００２６】
また、前記接続構造に用いる化粧部材３は、矩形状の化粧面部３１の左右側縁を裏面側へ折り返した係合溝３２，３２、化粧面部３１の棟縁を表面側へ折り返した水返し部３３３が形成され、さらに軒縁を裏面側へ折り返し状に折曲して前記外装材１の水下側成形部１２の外側に位置する軒側係合部３４が設けられた構成である。
したがって、図３に示すように噛み合わせられた凸状部分１４Ａ，１５Ａの先端に、化粧部材３の係合溝３２を係合させることにより、化粧部材３は双方の外装材１，１の凸状部分１４Ａ，１５Ａによってずれ動くことがなく、適正な位置に規制される。
【００２７】
このように施工される本発明の外装材の接続構造は、前記外装材１を用いるので、基本的に長手（桁行き）方向の接続に際して、端部保持部材（ジョイナー）などを必要とせず、さらには外装材１の製造コストを低減できるので、全体的な施工コストを低く抑えることができる。
【００２８】
また、図示実施例のように凸状部分１４Ａ，１５Ａが段部１６を介して設けられている場合、接続構造において他方の凹状部分１５Ｂ，１４Ｂの裏面に沿わせる部分が平行状となり、近接もしくは当接する状態となり、凸状部分１４Ａ，１５Ａの基端に歪みが生ずることがない。図７には段部１６の有無で、形成される接続面を比較した。同図（ａ）は、段部１６を形成したものであり、同図（ｂ）は段部１６を形成しないものである。
段部１６がない同図（ｂ）は、軒側と棟側で均等に突き合わせることにより、図示するような接続面を得られるが、他方側の裏面に位置する凸状部分１４Ａ，１５Ａは傾斜状に配されていると推察される。これに対して同図（ａ）では、段部１６があるため、均一長さの凸状部分１４Ａ，１５Ａが他方側の裏面に近接もしくは当接する状態となっている。そして、凸状部分１４Ａ，１５Ａの基端に歪みが生ずることがなく、外装（接続）面はほぼ平坦になり、切断面が露出せず意匠性に優れた接続構造を形成できる。また、段部１６により、凹凸のかみ合いが適正に行われるので、作業性が向上する。尚、このような段部１６は、１つに限定するものではなく、複数設けるようにしてもよい。
【００２９】
尚、本発明の外装材１は、説明した構成を阻害するものでなければ公知のどのような構成を付加してもよい。
【産業上の利用可能性】
【００３０】
各種横葺き外装材及び接続構造に適用できる。
【図面の簡単な説明】
【００３１】
【図１】（ａ）本発明の横葺き外装材の一実施例を示す平面図、（ｂ）矢印Ｆにおける矢視図、（ｃ）矢印Ｇにおける矢視図、（ｄ）矢印Ｈにおける矢視図、（ｅ）Ｂ−Ｂ線における断面図、（ｆ）Ａ−Ａ線における断面図、（ｇ）矢印Ｉにおける矢視図、（ｈ）Ｃ−Ｃ線における断面図、（ｉ）Ｄ−Ｄ線における断面図、（ｊ）Ｅ−Ｅ線における断面図である。
【図２】図１の横葺き外装材を長手方向に接続する施工状態をしめし、（ａ）長手方向に隣接する横葺き外装材の接続部を対向させた状態を示す斜視図、（ｂ）接続部を噛み合わせて組み付けた状態を示す斜視図である。
【図３】本発明の横葺き外装材の接続構造の一例を示す拡大断面図である。
【図４】（ａ）本発明の横葺き外装材と共に用いて接続構造を施工する捨板の一例を示す平面図、（ｂ）棟側から見た正面図、（ｃ）軒側から見た正面図、（ｄ）右側面図、（ｅ）短手（軒棟）方向の接続構造における捨板の配設状態を示す断面図である。
【符号の説明】
【００３２】
１  （横葺き）外装材
１１  面板部
１２  水下側成形部
１３  水上側成形部
１４，１５  接続部
１４Ａ，１５Ａ  凸状部分
１４Ｂ，１５Ｂ  凹状部分
１６  段部
【図１】
2006183265.tif 000003
【図２】
2006183265.tif 000004
【図３】
2006183265.tif 000005
【図４】
2006183265.tif 000006